(57)【特許請求の範囲】
【請求項１】
中心材としての遮水シートの表裏に他の材料を有してなる遮水シート部の、前記遮水シートの張り合わせ部における接合構造であって、
前記裏側の他の材料上で、第１の遮水シートと、第２の遮水シートとが、隣接するように並べられた隣接部において、前記第１の遮水シートの端部と前記第２の遮水シートの端部を摘み上げて、裏側同士が接するように合わせて余裕代を形成させ、前記合わせた第１の遮水シートと第２の遮水シートの端部をジョイントを設けてかしめ、前記合わせた第１および第２の遮水シートを可とう性材料からなる棒状部材に巻きつけて、前記巻きつけた第１および第２の遮水シートの上部に前記表側の他の材料が設けられてなり、
前記第１および第２の遮水シートに、張り合わせ部を開く方向への引張力が働くと、前記棒状部材を介して、前記第１および第２の遮水シートはそれぞれ張り合わせ部を開く方向へ移動して前記引張力を緩和することを特徴とする遮水シートの接合構造。
【請求項２】
前記遮水シートは、ウレタンシートであることを特徴とする請求項１記載の遮水シートの接合構造。
【請求項３】
前記表側の他の材料は、上側印加電極と上側不繊布とであり、前記裏側の他の材料は下側不繊布と下側印加電極であることを特徴とする請求項１記載の遮水シートの接合構造。
【発明の詳細な説明】
【０００１】
【発明の属する技術分野】
本発明は遮水シートの接合構造に関するものである。
【０００２】
【従来の技術】
従来、廃棄物処分場の遮水構造には、各種の工法が提案され、実用化されてきている。例えば、地盤内を掘削して、遮水層、遮水シート等を設けて遮水構造を構築し、内部に廃棄物を投入する。
【０００３】
【発明が解決しようとする課題】
しかしながら、汚染物質の漏液による近隣環境問題は後を絶たないのが現状である。汚染物質の漏液は、次のようにして起こると考えられる。廃棄物の埋立てに伴ない、遮水層を含む処分場の支持地盤が、上載の廃棄物の荷重により、圧密沈下を起こし、遮水層並びに遮水シートが、大きな引っ張り力を受け、遮水シートに大きな変位が生じ、亀裂やクラックが生じ、このクラックから漏液する。
【０００４】
本発明はこのような問題を鑑みてなされたものでその目的とするところは、変形を受けても漏液することが少ない遮水シートの接合構造を提供することにある。
【０００５】
【課題を解決するための手段】
前述した問題を解決するために第１の発明は、中心材としての遮水シートの表裏に他の材料を有してなる遮水シート部の、前記遮水シートの張り合わせ部における接合構造であって、前記裏側の他の材料上で、第１の遮水シートと、第２の遮水シートとが、隣接するように並べられた隣接部において、前記第１の遮水シートの端部と前記第２の遮水シートの端部を摘み上げて、裏側同士が接するように合わせて余裕代を形成させ、前記合わせた第１の遮水シートと第２の遮水シートの端部をジョイントを設けてかしめ、前記合わせた第１および第２の遮水シートを可とう性材料からなる棒状部材に巻きつけて、前記巻きつけた第１および第２の遮水シートの上部に前記表側の他の材料が設けられてなり、前記第１および第２の遮水シートに、張り合わせ部を開く方向への引張力が働くと、前記棒状部材を介して、前記第１および第２の遮水シートはそれぞれ張り合わせ部を開く方向へ移動して前記引張力を緩和することを特徴とする遮水シートの接合構造である。
【０００７】
【発明の実施の形態】
以下、図面に基づいて本発明の実施の形態を詳細に説明する。図１は、廃棄物処分場１の概略断面図であり、廃棄物処分場１の断面の半分を示している。
図１に示すように、廃棄物３を埋め立てるための廃棄物処分場１は、次のようにして構築される。
【０００８】
支持地盤２を掘削して、遮水層９を設け、遮水シート部７を敷きつめ、遮水シート部７の上に保護土層５を設ける。保護土層５、遮水シート部７、遮水層９で遮水構造４が構成される。そして、保護土層５の上部に、廃棄物３が投入される。遮水構造４により、廃棄物処分場１の遮水を確実に行い、廃棄物処分場１からの漏液を防ぐ。
【０００９】
遮水層９は、現地発生土にセメント等の固化材等を加えた素材で構成されており、耐水性、耐衝撃性に優れた難透水性基盤である。また、遮水層９は、十分な支持力を持ち、表面が平滑なため、上面に接する遮水シート部７の下地材として、遮水シート部７を保護する。
【００１０】
遮水シート部７は、水蜜性の高いシートである。この遮水シート部７については後述する。
保護土層５は、セメント改良などにより適度の強度を有する安定処理土により構成される。この保護土層５は、遮水シート部７を保護する。
【００１１】
次に、遮水シート部７について説明する。図２は、遮水シート部７を構成する遮水シート１５の接合方法を示す図である。
図２に示すように、遮水シート部７を構成する遮水シート１５は、１辺が約５ｍの略正方形状をなし、Ａ方向、Ｂ方向に合わせ張りされている。そして、Ａ方向には、引張力が働く。
【００１２】
遮水シート１５の合わせ張り部分である伸縮調整部１３ａは、引張力の働くＡ方向に対して直交しており、後述するように、引張力に対して伸長する合わせ張り方法で接合される。
遮水シート１５の合わせ張り部分である重ね張付部１１は、Ａ方向に対して平行であり、遮水シート１５を重ね合わせて、接着剤あるいは熱溶着により張付けられる。
【００１３】
次に、遮水シート部７の合わせ張り部である伸縮調整部１３ａについて説明する。
図３は、遮水シート部７の断面図であり、図４は、遮水シート部７の伸縮調整部１３ａ付近の断面図である。
【００１４】
図３に示すように、遮水シート部７は、遮水層９と保護土層５の間に設けられる。遮水シート部７には、中心材としての遮水シート１５の上面に上側印加電極１７、上側印加電極１７の上面に上側不織布１９が設けられ、遮水シート１５の下面に下側不織布２１が設けられ、下側不織布２１の下面に下側印加電極２３が設けられる。
遮水層９上に遮水シート部７を設置する場合、遮水層９上に、下側印加電極２３、下側不織布２１、遮水シート１５、上側印加電極１７、上側不織布１９を夫々現地で敷きつめていく。
【００１５】
上側印加電極１７と下側印加電極２３とは、遮水シート１５が破損した場合に、上側印加電極１７から下側印加電極２３に流れる電流あるいは電圧を感知することにより、遮水シート１５が破損していることを検知するために設けられる。
尚、遮水シート１５としては、熱可苛性ポリウレタンシート等も用いられる。また、下側不織布２１に代えて、不透水性の高いゴムアスフアルトシート等を用いてもよい。
【００１６】
図４に示すように、遮水シート１５の合わせ張り部である伸縮調整部１３ａは、遮水シート１５ａの端部と遮水シート１５ｂの端部とを摘みあげ、遮水シート１５ａと遮水シート１５ｂとの裏側同士を合わせ、接着剤あるいは熱溶着で張り合わせる。この遮水シート１５ａと遮水シート１５ｂとをステンレス等の金属製の凹型の断面形状をしたメカニカルジョイント２５を設けてカシめる。
【００１７】
更に、摘み上げた遮水シート１５ａと遮水シート１５ｂ、メカニカルジョイント２５上に、上側印電極１７、上側不織布１９を設け、更にその上からプラスチック製等のプロテクタ２７を被せる。このプロテクタ２７により、遮水シート部７の上に保護土層５を設けた後にも、遮水シート部７がＡ方向に引張力を受けた時に、遮水シート部７の端部がＡ方向に開き、引張力による遮水シート部７の大変形に追随できる。
【００１８】
尚、上側不織布１９、下側不織布２１等は、伸縮調整部１３ａ以外の部所で重ね張りにて接合される。
このように、本実施の形態では、遮水シート部７がＡ方向に引張力を受けても、伸縮調整部１３ａにより引張力が緩和され、遮水シート部７の破損を防止することができる。
【００１９】
次に、本発明の第２の実施の形態について説明する。図５は、遮水シート部７の伸縮調整部１３ｂ付近の断面図であり、図６は、図５に引張力が作用した状態を示す図である。第２の実施形態で、第１の実施形態と同様の機能を果たす要素には、同一の番号を付する。
【００２０】
図５に示すように、遮水層９上に下側不織布２１と下側印電極２３を設け、遮水シート１５を設ける。遮水シート１５ａと遮水シート１５ｂとの接合部である伸縮調整部１３ｂは、遮水シート１５ａの端部と遮水シート１５ｂの端部とを摘みあげ、遮水シート１５ａと遮水シート１５ｂとの裏側同士を合わせ、接着剤で張り合わせる。この遮水シート１５ａと遮水シート１５ｂの端部にステンレス等の金属製の凹型の断面形状をしたメカニカルジョイント２５を設けてカシめる。
【００２１】
このメカニカルジョイント２５によりカシめた遮水シート１５ａと遮水シート１５ｂとを、丸棒状のスポンジ等による可とう性材料から成る丸棒芯材２９を用いて、丸棒芯材２９の周囲に巻きつける。
そして、伸縮調整部１３ｂの上部に、上側印加電極１７と上側不織布１９とを設ける。
【００２２】
この伸縮調整部１３ｂに引張力が働いた状態を図６に示す。引張力が遮水シート部７のＡ方向に働くと、丸棒芯材２９を介して、遮水シート１５ａと遮水シート１５ｂとが両側に引張られた応力が開放される。
【００２３】
伸縮調整部１３ｂの上部の上側印加電極１７と上側不織布１９等も余裕代を設けてあるので、遮水シート部７は、引張力による１００〜２００ｍｍ程度の大変形に遮水シート部７の強度で対抗するのではなく、遮水シート部７の伸長性、可とう性により対抗することができる。
本実施の形態でも、遮水シート部７が引張力を受けても、伸縮調整部１３ｂにより引張力が緩和され、遮水シート部７の破損を防止することができる。
【００２４】
【発明の効果】
以上、詳細に説明したように本発明によれば、変形を受けても漏液することが少ない遮水シートの接合構造を提供することができる。
【図面の簡単な説明】
【図１】 廃棄物処分場１の概略断面図
【図２】 遮水シート部７を構成する遮水シート１５の接合方法を示す図
【図３】 遮水シート部７の断面図
【図４】 遮水シート部７の伸縮調整部１３ａ付近の断面図
【図５】 遮水シート部７の伸縮調整部１３ｂ付近の断面図
【図６】 図５に引張力が作用した状態を示す図
【符号の説明】
１…廃棄物処分場
４…遮水構造
５…保護土層
７…遮水シート部
９…遮水層
１３…伸縮調整部
１５…遮水シート
１７…上側印加電極
１９…上側不職布
２１…下側不職布
２３…下側印加電極
２５…メカニカルジョイント
２７…プロテクタ
２９…丸棒芯材
【図１】
0004364417.tif 000002
【図２】
0004364417.tif 000003
【図３】
0004364417.tif 000004
【図４】
0004364417.tif 000005
【図５】
0004364417.tif 000006
【図６】
0004364417.tif 000007